【手続補正書】
【提出日】令和2年12月25日(2020.12.25)
【手続補正１】
【補正対象書類名】明細書
【補正対象項目名】００３２
【補正方法】変更
【補正の内容】
【００３２】
上述の明細書、実施例及びデータによって、本発明の実施形態の構成物の製造及び用途の完全な説明が得られる。本明細書では、特定の実施形態を例示して説明したが、当業者は、示された特定の実施形態を、同じ目的を達成するように計画された任意の構成に置き換えることができることを理解するであろう。本出願は、本発明のあらゆる適合形態又は変形形態を包含することを意図している。したがって、本発明は、特許請求の範囲及びその等価物によってのみ限定されることが、明白に意図されている。以下、例示的実施形態について述べる。
［１］
アンカー構造体と付属品とを相互接続するためのテザークリップであって、
上側クランプ端部と下側ランヤード受け入れ端部との間に配置された上側接触領域を有する上側クランプ部材と、
下側クランプ端部と上側ランヤード受け入れ端部との間に配置された下側接触領域を有する下側クランプ部材であって、前記上側クランプ部材に枢動可能に接続されている、下側クランプ部材と、
前記上側クランプ部材及び前記下側クランプ部材を相互接続し、前記上側クランプ部材及び前記下側クランプ部材を閉位置に付勢する付勢部材と、を備え、
前記下側ランヤード受け入れ端部及び前記上側ランヤード受け入れ端部が、前記付属品に接続されたランヤードを受け入れるようになっており、
前記上側接触領域及び前記下側接触領域に加えられる圧力が前記付勢部材に打ち勝つと、前記上側クランプ部材及び前記下側クランプ部材は、前記上側クランプ端部と前記下側クランプ端部との間に前記アンカー構造体を受け入れる開位置に移動し、
前記ランヤードが引張荷重下にあるときに、横方向の力が前記下側ランヤード受け入れ端部及び前記上側ランヤード受け入れ端部に加えられ、前記横方向の力は前記上側クランプ端部及び前記下側クランプ端部におけるねじり荷重に変換されて、前記閉位置において前記アンカー構造体により強いクランプ力をかける、テザークリップ。
［２］
前記上側クランプ部材及び前記下側クランプ部材は、ナイロン、熱可塑性樹脂、ポリカーボネート、ポリエチレン、金属、及び木材からなる群から選択される材料のうちの少なくとも１つで作製される、［１］に記載のテザークリップ。
［３］
前記付勢部材は、前記下側クランプ部材と一体であり、前記上側接触領域に付勢力をかける、［１］に記載のテザークリップ。
［４］
前記付勢部材は、圧縮ばねである、［１］に記載のテザークリップ。
［５］
前記上側及び下側クランプ部材は、前記上側及び下側の接触領域と、前記上側及び下側のクランプ端部との間で枢動可能に接続されている、［１］に記載のテザークリップ。
［６］
前記上側クランプ端部は、上側係合面を有し、前記下側クランプ端部は、下側係合面を有する、［１］に記載のテザークリップ。
［７］
前記上側係合面及び前記下側係合面のうちの少なくとも一方は、内向きに傾斜した複数の突起部を備える、［６］に記載のテザークリップ。
［８］
前記上側接触領域と前記上側クランプ端部とを相互接続し、それらの間に第１の開口部を形成する、第１の接続部及び第２の接続部と、
前記上側接触領域と前記下側ランヤード受け入れ端部とを相互接続し、それらの間に第２の開口部を形成する、第３の接続部及び第４の接続部と、
前記下側接触領域と前記下側クランプ端部とを相互接続し、それらの間にチャネルを形成する、第５の接続部及び第６の接続部であって、前記第５及び第６の接続部の部分は、前記第１の開口部内に配置される、第５の接続部及び第６の接続部と、
前記下側接触領域と前記上側ランヤード受け入れ端部とを相互接続する第７の接続部であって、前記第２の開口部を通って延びる、第７の接続部と、
前記チャネル内に配置された前記付勢部材と、を更に備える、［１］に記載のテザークリップ。
［９］
前記第１及び第２の接続部は孔部を備え、前記第５及び第６の接続部は、前記上側及び下側クランプ部材を枢動可能に接続するために、前記孔部を通って延びる突出部を備える、［８］に記載のテザークリップ。
［１０］
前記上側及び下側クランプ部材は、前記上側及び下側の接触領域と、前記上側及び下側のクランプ端部との間で枢動可能に接続されている、［９］に記載のテザークリップ。
［１１］
アンカー構造体と付属品とを相互接続するためのテザークリップであって、
上側クランプ端部と下側ランヤード受け入れ端部との間に配置された上側接触領域を有する上側クランプ部材と、
前記上側接触領域と前記上側クランプ端部とを相互接続し、それらの間に第１の開口部を形成する第１の接続部及び第２の接続部と、
前記上側接触領域と前記下側ランヤード受け入れ端部とを相互接続し、それらの間に第２の開口部を形成する第３の接続部及び第４の接続部と、
下側クランプ端部と上側ランヤード受け入れ端部との間に配置された下側接触領域を有する下側クランプ部材であって、前記上側クランプ部材に枢動可能に接続されている、下側クランプ部材と、
前記下側接触領域と前記下側クランプ端部とを相互接続し、それらの間にチャネルを形成している第５の接続部及び第６の接続部であって、前記第５及び第６の接続部の部分は、前記第１の開口部内に配置される、第５の接続部及び第６の接続部と、
前記下側接触領域と前記上側ランヤード受け入れ端部とを相互接続する第７の接続部であって、前記第２の開口部を通って延びる、第７の接続部と、
前記上側クランプ部材及び前記下側クランプ部材を相互接続し、前記上側クランプ部材及び前記下側クランプ部材を閉位置に付勢する付勢部材と、を備え、
前記下側ランヤード受け入れ端部及び前記上側ランヤード受け入れ端部が、前記付属品に接続されたランヤードを受け入れるようになっており、
前記上側接触領域及び前記下側接触領域に加えられる圧力が前記付勢部材に打ち勝つと、前記上側クランプ部材及び前記下側クランプ部材は、前記上側クランプ端部と前記下側クランプ端部との間に前記アンカー構造体を受け入れる開位置に移動し、
前記ランヤードが引張荷重下にあるときに、横方向の力が前記下側ランヤード受け入れ端部及び前記上側ランヤード受け入れ端部に加えられ、前記横方向の力は前記上側クランプ端部及び前記下側クランプ端部におけるねじり荷重に変換されて、前記閉位置において前記アンカー構造体により強い力をかける、テザークリップ。
［１２］
前記上側クランプ部材及び前記下側クランプ部材は、ナイロン、熱可塑性樹脂、ポリカーボネート、ポリエチレン、金属、及び木材からなる群から選択される材料のうちの少なくとも１つで作製される、［１１］に記載のテザークリップ。
［１３］
前記付勢部材は前記下側クランプ部材と一体であり、前記上側接触領域に付勢力をかける、［１１］に記載のテザークリップ。
［１４］
前記付勢部材は圧縮ばねである、［１１］に記載のテザークリップ。
［１５］
前記付勢部材は、前記チャネル内に配置される、［１１］に記載のテザークリップ。
［１６］
前記第１及び第２の接続部は孔部を備え、前記第５及び第６の接続部は、前記上側及び下側クランプ部材を枢動可能に接続するために、前記孔部を通って延びる突出部を備える、［１１］に記載のテザークリップ。
［１７］
前記上側及び下側クランプ部材は、前記上側及び下側の接触領域と、前記上側及び下側のクランプ端部との間で枢動可能に接続される、［１６］に記載のテザークリップ。
［１８］
前記上側及び下側クランプ部材は、前記上側及び下側の接触領域と、前記上側及び下側のクランプ端部との間で枢動可能に接続される、［１１］に記載のテザークリップ。
［１９］
前記上側クランプ端部は上側係合面を有し、前記下側クランプ端部は下側係合面を有する、［１１］に記載のテザークリップ。
［２０］
前記上側係合面及び前記下側係合面のうちの少なくとも一方は、内向きに傾斜した複数の突起部を備える、［１９］に記載のテザークリップ。
【手続補正２】
【補正対象書類名】特許請求の範囲
【補正対象項目名】全文
【補正方法】変更
【補正の内容】
【特許請求の範囲】
【請求項１】
アンカー構造体と付属品とを相互接続するためのテザークリップであって、
上側クランプ端部と下側ランヤード受け入れ端部との間に配置された上側接触領域を有する上側クランプ部材と、
下側クランプ端部と上側ランヤード受け入れ端部との間に配置された下側接触領域を有する下側クランプ部材であって、前記上側クランプ部材に枢動可能に接続されている、下側クランプ部材と、
前記上側クランプ部材及び前記下側クランプ部材を相互接続し、前記上側クランプ部材及び前記下側クランプ部材を閉位置に付勢する付勢部材と、を備え、
前記下側ランヤード受け入れ端部及び前記上側ランヤード受け入れ端部が、前記付属品に接続されたランヤードを受け入れるようになっており、
前記上側接触領域及び前記下側接触領域に加えられる圧力が前記付勢部材に打ち勝つと、前記上側クランプ部材及び前記下側クランプ部材は、前記上側クランプ端部と前記下側クランプ端部との間に前記アンカー構造体を受け入れる開位置に移動し、
前記ランヤードが引張荷重下にあるときに、横方向の力が前記下側ランヤード受け入れ端部及び前記上側ランヤード受け入れ端部に加えられ、前記横方向の力は前記上側クランプ端部及び前記下側クランプ端部におけるねじり荷重に変換されて、前記閉位置において前記アンカー構造体により強いクランプ力をかける、テザークリップ。
【請求項２】
前記付勢部材は、前記下側クランプ部材と一体であり、前記上側接触領域に付勢力をかける、請求項１に記載のテザークリップ。
【請求項３】
前記上側及び下側クランプ部材は、前記上側及び下側の接触領域と、前記上側及び下側のクランプ端部との間で枢動可能に接続されている、請求項１に記載のテザークリップ。
【請求項４】
アンカー構造体と付属品とを相互接続するためのテザークリップであって、
上側クランプ端部と下側ランヤード受け入れ端部との間に配置された上側接触領域を有する上側クランプ部材と、
前記上側接触領域と前記上側クランプ端部とを相互接続し、それらの間に第１の開口部を形成する第１の接続部及び第２の接続部と、
前記上側接触領域と前記下側ランヤード受け入れ端部とを相互接続し、それらの間に第２の開口部を形成する第３の接続部及び第４の接続部と、
下側クランプ端部と上側ランヤード受け入れ端部との間に配置された下側接触領域を有する下側クランプ部材であって、前記上側クランプ部材に枢動可能に接続されている、下側クランプ部材と、
前記下側接触領域と前記下側クランプ端部とを相互接続し、それらの間にチャネルを形成している第５の接続部及び第６の接続部であって、前記第５及び第６の接続部の部分は、前記第１の開口部内に配置される、第５の接続部及び第６の接続部と、
前記下側接触領域と前記上側ランヤード受け入れ端部とを相互接続する第７の接続部であって、前記第２の開口部を通って延びる、第７の接続部と、
前記上側クランプ部材及び前記下側クランプ部材を相互接続し、前記上側クランプ部材及び前記下側クランプ部材を閉位置に付勢する付勢部材と、を備え、
前記下側ランヤード受け入れ端部及び前記上側ランヤード受け入れ端部が、前記付属品に接続されたランヤードを受け入れるようになっており、
前記上側接触領域及び前記下側接触領域に加えられる圧力が前記付勢部材に打ち勝つと、前記上側クランプ部材及び前記下側クランプ部材は、前記上側クランプ端部と前記下側クランプ端部との間に前記アンカー構造体を受け入れる開位置に移動し、
前記ランヤードが引張荷重下にあるときに、横方向の力が前記下側ランヤード受け入れ端部及び前記上側ランヤード受け入れ端部に加えられ、前記横方向の力は前記上側クランプ端部及び前記下側クランプ端部におけるねじり荷重に変換されて、前記閉位置において前記アンカー構造体により強い力をかける、テザークリップ。
【請求項５】
前記付勢部材は前記下側クランプ部材と一体であり、前記上側接触領域に付勢力をかける、請求項４に記載のテザークリップ。
【請求項６】
前記第１及び第２の接続部は孔部を備え、前記第５及び第６の接続部は、前記上側及び下側クランプ部材を枢動可能に接続するために、前記孔部を通って延びる突出部を備える、請求項４に記載のテザークリップ。